(57)【要約】【課題】握力の弱い使用者や、指関節の自由が利きにくい使用者でも、かみそり本体を無理なく確実に握りしめることができ、しかも見た目がスリムで軽快な印象を発揮できるる電気かみそりを提供する。【解決手段】かみそり本体（１）と、かみそりヘッド（２）とを備えており、かみそり本体（１）が、外突状に膨出形成される後湾曲面（１１）を含んで形成されている。かみそり本体（１）の前後中心に沿う長手方向中心軸線（Ｋ）と、かみそりヘッド（２）の長手方向中心軸線（Ｌ）とが、平面視においてほぼ直交している。かみそりヘッド（２）の左右幅（Ｄ）が、かみそり本体（１）の左右幅（Ｈ）より大きく設定されている【選択図】図１
2007007460.tif 000002
【特許請求の範囲】
【請求項１】
かみそり本体（１）と、かみそりヘッド（２）とを備えており、
かみそり本体（１）が、外突状に膨出形成される後湾曲面（１１）を含んで形成されており、
かみそり本体（１）の前後中心に沿う長手方向中心軸線（Ｋ）と、かみそりヘッド（２）の長手方向中心軸線（Ｌ）とが、平面視においてほぼ直交しており、
かみそりヘッド（２）の左右幅（Ｄ）が、かみそり本体（１）の左右幅（Ｈ）より大きく設定されている電気かみそり。
【発明の詳細な説明】
【技術分野】
【０００１】
本発明は、外郭構造がかみそり本体と、かみそりヘッドとを含んで構成してある電気かみそりに関する。
【背景技術】
【０００２】
一般的な電気かみそりは、電池やモーターなどを収容する本体ケースと、本体ケースの上部に設けられるかみそりヘッドとで外郭構造を構成しており、殆どの場合、縦長の本体ケースがグリップを兼ねている。より多様なグリップ形態を選択できるようにするために、本体ケースの左右中央に溝を設け、この溝に指を差し込んだ状態で本体ケースを握れるようにした電気かみそりが公知である（特許文献１）。グリップのしやすさに関して、特許文献２では本体ケースの上部にラウンド部を膨出形成し、その下縁に沿ってＶ字状の指受面を形成している。
【０００３】
縦長の柄と、かみそりの刃を支持するヘッド部とで構成されるＴ字状のかみそりがあるが、この種のかみそりを模した電気かみそりが公知である（特許文献３参照）。そこではかみそりヘッドを、かみそり本体部分に連続するＹ字状の腕で連結している。
【０００４】
【特許文献１】特開平９−２２０３８０号公報（段落番号００１２、図１）
【特許文献２】特開２００４−２２２９８０号公報（段落番号００３２、図１）
【特許文献３】意匠登録第１１９００８０号公報
【発明の開示】
【発明が解決しようとする課題】
【０００５】
一般的に、電気かみそりは縦長の本体ケースを片手でつかんで使用する。例えば、本体ケースの周囲を親指と他の４指とで握りしめ、あるいは親指と他の４指とで本体ケースを前後から挟むようにして使用する。いずれの場合にも本体ケースを問題なく支えることができる。しかし、モーターや電池などの機器を収容することを目的として本体ケースがデザインしてあるので、必ずしも握りやすいとは言えず、操作しやすいとも言い難い。とくに握力が弱く、あるいは指関節の自由が利きにくいなど、手や指に何らかの障害がある場合には、先のような握り方で電気かみそりを支えられないことがある。
【０００６】
本発明の目的は、握力が弱い使用者や、指関節の自由が利きにくい使用者であっても、かみそり本体を無理なく確実に握りしめることができる電気かみそりを提供することにある。
【課題を解決するための手段】
【０００７】
本発明の電気かみそりは、かみそり本体１と、かみそりヘッド２とを備えている。かみそり本体１は、外突状に膨出形成される後湾曲面１１を含んで形成されている。かくして、図１に示すように、かみそり本体１の前後中心に沿う長手方向中心軸線Ｋと、かみそりヘッド２の長手方向中心軸線Ｌとを、平面視においてほぼ直交させ、かみそりヘッド２の左右幅Ｄは、かみそり本体１の左右幅Ｈより大きく設定している（請求項１）。
【発明の効果】
【０００８】
請求項１記載の本発明では、かみそり本体１およびかみそりヘッド２で電気かみそりの外郭構造を構成し、外突状に膨出形成される後湾曲面１１を含んでかみそり本体１を形成した。そのうえで、かみそり本体１の前後中心に沿う長手方向中心軸線Ｋが、かみそりヘッド２の長手方向中心軸線Ｌと平面視においてほぼ直交しているので、かみそり本体１を片手で握った状態において、意識する必要もなく自然に外刃１８を使用者と正対させることができる。一度握った後に手を握り換えて電気かみそりの姿勢を整える必要がなく、握力が弱い使用者や、指関節の自由が利きにくい使用者であっても、電気かみそりを確実に保持して楽にひげそりを行える。
【発明を実施するための最良の形態】
【０００９】
（実施例）  図１ないし図９は本発明に係る電気かみそりの実施例を示す。なお、図６ないし図９は、この実施例に係る電気かみそりの外観図および斜視図であり、図８および図９はかみそりヘッド２以外の部分を破線で表現して、かみそりヘッド２のみを実線で強調表示している。図２において電気かみそりは、かみそり本体１と、かみそりヘッド２と、かみそり本体１の上部に突設されてかみそりヘッド２を支持するフレーム３とを備えている。
【００１０】
かみそり本体１の内部には、前後一対の２次電池（電池）４と、制御基板５などが組み込まれ、かみそり本体１の前面上部には、モーター１４の通電状態をオン状態とオフ状態とに切り換えるスイッチ６と、スイッチ６を切り換え操作するスイッチボタン７とが配置してある。符号８はかみそり本体１の底面に設けた充電用のプラグである。
【００１１】
図３においてかみそり本体１は、フレーム３で前後に分割されており、フレーム３より前側の前ケース１ａと、フレーム３より後側の後ケース１ｂと、前後ケース１ａ・１ｂに挟まれたフレーム基部３ａとで構成する。前ケース１ａは外形が花弁状に形成されるプラスチック成形品からなり、その前面に外突状に膨出する前湾曲面１０が設けてある。
【００１２】
後ケース１ｂは、フレーム３との接合面で開口する容器状のプラスチック成形品からなり、その周囲が後方へ向かって外突状に膨出形成される後湾曲面１１で覆われ、図１に示すように横断面が放物線状に形成してある。こうしたケース構造を採ることにより、後ケース１ｂは全体としてキャノピー状（円蓋型風防状）に形成され、その前後幅は左右幅に比べて充分に大きい。かみそり本体１を握りやすくするために、前湾曲面１０の湾曲半径は、後湾曲面１１の湾曲半径に比べて充分に大きく設定してある。
【００１３】
フレーム３と後ケース１ｂとは、フレーム３の側からねじ込んだビスで締結し、フレーム３の前面に前ケース１ａを圧嵌係合することにより、かみそり本体１を左右が扁平な卵形状に構成できる。
【００１４】
このように左右が扁平な卵形状に構成したかみそり本体１は、その周面を片手で握りしめた状態において、図４に示すごとく前湾曲面１０を母指球で受け止め、後湾曲面１１を第２指から第５指で包み込むように保持できるので、従来の電気かみそりに比べて握りやすさを格段に向上できる。したがって、握力が弱い使用者や、指関節の自由が利きにくい使用者であっても、かみそり本体を無理なく確実に握りしめることができる。
【００１５】
図２において、かみそりヘッド２は、モーター１４および減速ユニット１５を収容するヘッドケース１６と、ヘッドケース１６の上部に立設した左右一対のブラケットで回転自在に軸支される内刃１７と、内刃１７に外接する外刃１８と、外刃１８をアーチ状に保形する外刃ホルダー１９などで構成してある。
【００１６】
外刃ホルダー１９はヘッドケース１６に対して着脱できる。減速ユニット１５の回転動力は、タイミングベルト機構２０を介して内刃１７に伝動される。内刃１７および外刃１８によってロータリー式の切断構造を構成してある。
【００１７】
かみそり本体１とかみそりヘッド２とは、図１に示すように、かみそり本体１の前後中心に沿う長手方向中心軸線Ｋと、かみそりヘッド２の長手方向中心軸線Ｌとが、平面視において直交するように配置する。これにより、左右横長のかみそりヘッド２に対して、グリップを兼ねるかみそり本体１の後湾曲面１１を後方へ大きく突出させることができる。図４に示すように、かみそり本体１を片手で握った状態では、意識する必要もなく自然に外刃１８が使用者と正対するので、ひげそりを楽に行える。なお、かみそり本体１の長手方向中心軸線Ｋと、かみそりヘッド２の長手方向中心軸線Ｌとは、平面視において概ね直交する状態で配置してあればよく、両軸線の交差角度は９０度±１５度の範囲内にあればよい。
【００１８】
図２においてフレーム３は、かみそり本体１の前後ケース１ａ・１ｂで挟まれるフレーム基部３ａと、フレーム基部３ａの上部に連続して逆三角形状に形成される連結部３ｂとを一体に備えた中空板状のプラスチック成形品からなり、図３に示すように側面視形状が緩やかに湾曲するＳ字形状としてある。
【００１９】
連結部３ｂの面壁には、逆三角形状の窓２２を開口してあり、窓２２を塞ぐ状態で透明の表示パネル（表示部）２３を嵌め込んである。窓２２を囲む周枠内の空間を利用してモーター１４の給電リード２６を配線している（図５参照）。フレーム３とかみそりヘッド２とは、かみそりヘッド２の側からねじ込んだビスで分離不能に締結固定する。
【００２０】
表示パネル２３には一群のドットで構成される運転表示２４を彫刻してあり、表示パネル２３の下端中央に配置したＬＥＤ２５で運転表示２４を照射することにより、電気かみそりが運転状態であることを明確に表わすことができる。ＬＥＤ２５はスイッチ６がオン操作された状態において点灯する。図２に示すように、運転表示２４は文字または模様で形成する。
【００２１】
このように、透明の表示パネル２３に運転表示２４を設けてあると、表示パネル２３の表裏両面から運転表示２４を見ることができるので、喉から顎にかけてひげそりを行うような場合でも、鏡に映った運転表示２４によって電気かみそりの運転状態を確認することができる。
【００２２】
窓２２の周縁壁は前指受２８として利用される。詳しくは図４および図５に示すように、かみそり本体１を片手で握った状態において、親指の指尖球を左右いずれかの前指受２８にあてがい、その部分を押し込み操作することにより、かみそりヘッド２を容易に姿勢変更できる。
【００２３】
図２および図３において各部の寸法Ａ〜Ｉは以下のように設定した。かみそりヘッド２の前後幅をＡ、フレーム３の連結部３ｂの前後厚みをＢ、かみそり本体１の前後寸法をＣ、かみそりヘッド２の左右幅をＤ、連結部３ｂの上端の左右幅をＥ、窓２２の上端の左右幅をＦ、連結部３ｂの基端に形成したくびれ部分の左右幅をＧ、かみそり本体１の左右幅をＨ、窓２２の上下寸法をＩとする。そのとき、Ｂ＜Ａ＜Ｃとすることにより、電気かみそりの印象をスリムで軽快なものとすることができる。好ましくは、Ｂ寸法を５mmとするとき、Ａ寸法をＢ寸法の２ないし４倍に設定する。
【００２４】
Ｄ≒Ｅ、Ｇ＜Ｅ、Ｇ＞＝Ｈ、Ｄ＞Ｈとして、フレーム３の連結部３ｂがかみそり本体１の左右側面からかみそりヘッド２の下面両側に連続する状態で逆三角形状になるようにし、かみそり本体１を手で握りしめやすくする。同時に握りしめた手が連結部３ｂの上方へずれ動くのを防止する。
【００２５】
Ｆ≒Ｉ＞Ｈとして、表示パネル２３を上拡がり状に形成し、その面積をできるだけ大きなものとし、運転表示２４を見やすくした。親指の指尖球を左右いずれかの前指受２８にあてがってかみそりヘッド２の姿勢変更するとき、前指受２８の左右位置がフレーム３の縦中心軸からはなれる分だけ、フレーム３に作用するモーメントを大きくして、かみそりヘッド２の姿勢変更を、より小さな力で楽に行えるようにした。
【００２６】
以上のように、かみそり本体１とかみそりヘッド２とを前後厚みが小さな連結部３ｂを介して繋ぎ、後ケース１ｂをキャノピー状に形成してあると、図４に示すように、後湾曲面１１の上端と連結部３ｂの基端との間に、主として第２指の指先をかけるための後指受３０が形成されるので、かみそり本体１をさらに安定した状態で握りしめることができる。さらに、連結部３ｂと後指受３０との隣接隅部分に第２指をあてがった状態では、第２指を連結部３ｂと後指受３０との両者で同時に受け止めてそのずれ動きを確実に規制できる。
【００２７】
図１０はかみそり本体１の一部を変更した実施例を示す。そこでは、後ケース１ｂの後面に沿って４個の滑り止め用の凹部３２を形成し、第２〜第４指を各凹部３２にあてがうことにより、かみそり本体１を握った状態を確実に保持できるようにした。他は先の実施例と同じであるので、下記の実施例も含めて、同じ部材に同じ符号を付してその説明を省略する。
【００２８】
図１１はかみそりヘッド２をフロート機構で浮動支持できるようにした。具体的には、ヘッドケース１６の下面左右に突設した連結脚３４を、フレーム３の連結部３ｂの上端左右に設けたガイド穴３５で上下動自在に案内支持し、連結脚３４に嵌め込んだ圧縮コイル形のばね３６でかみそりヘッド２の全体を押し上げ付勢した。このように、かみそりヘッド２を左右のばね３６で浮動支持すると、かみそりヘッド３を上下動可能で、しかも左右傾動可能に支持できるので、外刃１８を肌面に変化に追随して密着させることができる。
【００２９】
上記の実施例以外に、フレーム３自体を透明なプラスチック板材で形成して、フレーム３が表示パネル２３を兼ねることができる。連結部３ｂに拡大レンズを設けることができる。必要があれば、窓２２を円形や楕円形、あるいは矩形などに形成することができる。表示パネル２３は、液晶パネルや、ＥＬパネルなどで構成でき、その場合には、電気かみそりの運転モード、電池残量表示、あるいはモーター１４の駆動回転数などの運転状態を、文字、グラフ、ピクトグラフ等でより具体的に表示することができる。
【００３０】
表示パネル２３を省略して、窓２２の開口内縁の全てを前指受２８とすることができ、その場合にはフレーム３の表裏双方から指先を前指受２８にあてがうことができる。表示パネル２３の前面の一部、あるいは全体に摩擦層を形成して、窓２２の内縁と摩擦層とで前指受２８を構成することができる。もちろん、窓２２の内縁に限って摩擦層を形成することができる。その場合には、表示パネル２３を透明体で形成することができる。摩擦層はウレタン塗料を塗布して、あるいはゴム膜を装着して形成することができる。
【００３１】
かみそり本体１は必ずしも扁平な卵形である必要はない。例えば、前ケース１ａの前面形状を内凹み湾曲形状や、平坦形状に形成することができる。フレーム３は側面視においてＳ字とする必要はなく、平板状に形成することができる。フレーム基部３ａは、かみそり本体１の前面に締結固定することができる。必要があれば、フレーム３を連結部３ｂのみで形成して、フレーム基部３ａを省略することができる。その場合には、連結部３ｂをかみそり本体１と一体に成形することができる。
【００３２】
切断構造はロータリー式である必要はなく、左右方向へ往復動する内刃１７と外刃１８とで往復動式に構成することができる。その場合には、モーター１４の回転動力を往復動力に変換する振動子を、ヘッドケース１６内に設けるとよい。
【図面の簡単な説明】
【００３３】
【図１】電気かみそりの平面図
【図２】電気かみそりの正面図
【図３】電気かみそりの右側面図
【図４】電気かみそりのグリップ態様を示す側面図
【図５】電気かみそりのグリップ態様を示す横断平面図
【図６】電気かみそりの外観を示す正面図、右側面図、背面図
【図７】電気かみそりの外観を示す正面図、平面図、底面図、斜視図
【図８】かみそりヘッドの外観を示す正面図、右側面図、背面図
【図９】かみそりヘッドの外観を示す正面図、平面図、底面図、斜視図
【図１０】かみそり本体の別の実施例を示す側面図
【図１１】かみそりヘッドの別の支持構造例を示す一部破断正面図
【符号の説明】
【００３４】
１  かみそり本体
２  かみそりヘッド
３  フレーム
３ａ  フレームのフレーム基部
３ｂ  フレームの連結部
４  電池
５  制御基板
６  スイッチ
１０  かみそり本体の前湾曲面
１１  かみそり本体の後湾曲面
１４  モーター
１７  内刃
１８  外刃
２３  表示部
２８  前指受
Ｄ  かみそりヘッドの左右幅
Ｈ  かみそり本体の左右幅
Ｋ  かみそり本体の長手方向中心軸線
Ｌ  かみそりヘッドの長手方向中心軸線
【図１】
2007007460.tif 000003
【図２】
2007007460.tif 000004
【図３】
2007007460.tif 000005
【図４】
2007007460.tif 000006
【図５】
2007007460.tif 000007
【図６】
2007007460.tif 000008
【図７】
2007007460.tif 000009
【図８】
2007007460.tif 000010
【図９】
2007007460.tif 000011
【図１０】
2007007460.tif 000012
【図１１】
2007007460.tif 000013